(57)【要約】【課題】ハウジング及び導電性シェルを備えたコネクタ装置であって、全体の小型化及び構成部材数の低減を図ることができる構造をもって、ハウジングに差し込まれた配線板状部材を、係止状態及び係止解除状態に選択的におくことができるものを提供する。【解決手段】ハウジング（１１）を部分的に覆う導電性シェル（１６）に、固定部（１９Ａ，１９Ｂ），ハウジング（１１）に差し込まれたフレキシブル印刷配線基板（４０）に対する係止状態をとる係止部（２０Ａ，２０Ｂ），係止部（２０Ａ，２０Ｂ）によるフレキシブル印刷配線基板（４０）に対する係止状態を解除する係止解除部（２５Ａ，２５Ｂ），係止解除部（２５Ａ，２５Ｂ）を係止部（２０Ａ，２０Ｂ）に係合させるべく移動操作される操作部（１７）、及び、操作部（１７）と固定部（１９Ａ，１９Ｂ）とを連結して弾性変位部を成す連結部（１８Ａ，１８Ｂ）が、一体的に形成される。【選択図】図１３
2015222638.tif 000002
【特許請求の範囲】
【請求項１】
相互対向側端部のうちの一方側において開口する板状部材差込み部が設けられて配線基板に配されるハウジングと、
各々が上記ハウジングに配列配置され、配線板状部材が上記板状部材差込み部を通じて上記ハウジングに差し込まれたとき、該配線板状部材における複数の接続端子部に夫々接触接続される複数のコンタクトと、
上記ハウジングを部分的に覆い、上記配線基板に固定される固定部，上記ハウジングに差し込まれた配線板状部材に対する係止状態をとる係止部，該係止部の上記係止状態を解除する係止解除部，該係止解除部を上記係止部に係合させるべく操作される操作部、及び、該操作部と上記固定部とを連結する連結部が一体的に形成された導電性シェルと、
を備えて成り、
上記連結部が、上記ハウジングの相互対向側端部のうちの他方側に配された弾性変位部を成すものとされ、上記操作部が上記係止解除部を伴って上記ハウジングの相互対向側端部のうちの一方側から他方側に向けて移動操作されるとき、弾性変位を生じて上記係止解除部を上記係止部に係合させることにより、上記係止部に配線板状部材に対する係止状態を解除させることを特徴とするコネクタ装置。
【請求項２】
上記係止部が、上記固定部から上記ハウジングの相互対向側端部のうちの一方側に向かって伸びて配線板状部材に係合する係合部が設けられた弾性可動アーム状部と、該弾性可動アーム状部から伸びて上記係止解除部との係合状態におかれる係合端部と、を有することを特徴とする請求項１記載のコネクタ装置。
【請求項３】
上記係合部が、上記配線板状部材に設けられた突出係合部に嵌合する孔部を形成することを特徴とする請求項２記載のコネクタ装置。
【請求項４】
上記係合端部が上記係止解除部に対する案内部を成し、上記操作部が上記係止解除部を伴って上記ハウジングの相互対向側端部のうちの一方側から他方側に向けて移動操作されるとき、上記係止解除部が、上記案内部に当接して該案内部による案内を受けつつ移動し、上記弾性可動アーム状部を変位させて上記係合部の上記配線板状部材との係合を解除することを特徴とする請求項２記載のコネクタ装置。
【請求項５】
上記操作部が、上記ハウジングの相互対向側端部のうちの一方側から他方側に向かって広がって上記ハウジングを部分的に覆う板状部を成し、上記連結部の一端が上記板状部における上記ハウジングの相互対向側端部うちの他方側の端部に連結されていることを特徴とする請求項１記載のコネクタ装置。
【請求項６】
上記ハウジングを部分的に覆ってグラウンド電位が与えられるグラウンドプレートを有し、該グラウンドプレートにおける上記複数のコンタクトの配列方向の端部に、上記導電性シェルに形成された上記係止部の少なくとも一部及び上記係止解除部を覆うカバー部分が設けられていることを特徴とする請求項１記載のコネクタ装置。
【発明の詳細な説明】
【技術分野】
【０００１】
本願の特許請求の範囲に記載された発明は、フレキシブル印刷配線基板（ＦＰＣ）やフレキシブル平板状ケーブル（ＦＦＣ）等の配線板状部材に設けられた接続端子部を、他の配線基板等とされる他の電気部品に電気的に連結するため、配線基板等に取り付けられて配線板状部材が差し込まれるものとして用いられ、差し込まれた配線板状部材にその離脱を阻止すべく係合する係止手段及び差し込まれた配線板状部材における接続端子部に接触接続されるコンタクトを含んで構成されるコネクタ装置に関する。
【背景技術】
【０００２】
各種の電子機器に実装される比較的小型なフレキシブル印刷配線基板やフレキシブル平板状ケーブル等の配線板状部材は、各種の電気部品が取り付けられる主配線基板との電気的連結が、当該主配線基板に電気的接続がなされて固定されるコネクタ装置が用いられて行われることが多い。このような配線板状部材の主配線基板との電気的連結にあたって用いられるコネクタ装置は、配線板状部材に設けられた接続端子部に接触接続される導電性のコンタクトを有していて、そのコンタクトを介して、配線板状部材に設けられた接続端子部を主配線基板に設けられた配線部に電気的に連結する。
【０００３】
従来提案されている、例えば、フレキシブル印刷配線基板とされる配線板状部材の主配線基板との電気的連結に用いられるコネクタ装置は、配線板状部材が差し込まれる差込み部が設けられたものとされて主配線基板に配される、例えば、絶縁材料によって形成されたハウジングを有したものとされる。そして、斯かるコネクタ装置にあっては、例えば、ハウジングに配列配置されて設けられ、配線板状部材が差込み部を通じてハウジングに差し込まれるとき、その配線板状部材に設けられた複数の接続端子部に夫々対応するものとなる複数のコンタクトと、複数のコンタクトについての特性インピーダンス調整に貢献するものとして、さらには、外部からの電磁波ノイズ対策のため、即ち、外部からの電磁波ノイズに対するシールド効果を得るために、ハウジングを部分的もしくは全体的に覆うものとして配されて接地電位が与えられる導電性シェルと、ハウジングに対して回動可能とされて設けられ、回動せしめられるとき、複数のコンタクトに、複数の接続端子部に夫々接触接続された状態、あるいは、複数の接続端子部との接触接続から解放され得る状態をとらせるアクチュエータとが備えられている。このようなもとで、複数のコンタクトが配線板状部材に設けられた複数の接続端子部に夫々接触接続された状態におかれることにより、配線板状部材が主配線基板との電気的連結状態におかれる。
【０００４】
このような従来提案されているコネクタ装置にあっては、例えば、フレキシブル印刷配線基板とされる配線板状部材が、主配線基板に配されたハウジングに差込み部を通じて差し込まれて、ハウジングに配された複数のコンタクトが、ハウジングに差し込まれた配線板状部材における複数の接続端子部に夫々接触接続され、それにより、配線板状部材が主配線基板との電気的連結状態におかれるにあたり、配線板状部材がハウジングから不所望に抜脱されるような事態が回避されなくてはならない。当然のことながら、ハウジングに配された複数のコンタクトがハウジングに差し込まれた配線板状部材における複数の接続端子部に夫々接触接続された状態が適正に維持されるためには、ハウジングに差込み部を通じて差し込まれた配線板状部材が、その状態を安定に維持することができ、ハウジングから不所望に抜脱されるような事態をまねかないものとされることが必要とされるのである。
【０００５】
そのため、前述のような、ハウジングを有し、複数のコンタクトと導電性シェルとハウジングに対して回動可能とされるアクチュエータとを備えたコネクタ装置に属するものであって、ハウジングに差込み部を通じて差し込まれた配線板状部材に係合して、当該配線板状部材のハウジングからの不所望な抜脱を阻止する係止手段を備えたコネクタ装置が従来提案されている（例えば、特許文献１又は特許文献２参照。）。
【０００６】
特許文献１に示されるコネクタ装置（平型導体用電気コネクタ）にあっては、ハウジング(10)に差し込まれた配線板状部材（平型導体(P))に係合して当該配線板状部材(P) のハウジング(10)からの不所望な抜脱を阻止する係止手段（係止突起(19)) が、ハウジング(10)の底壁(11)の上面に固定されている。この係止手段(19)は、その後面が緩いテーパ面を成すとともにその前面が急なテーパ面を成すものとされている。そして、特許文献１に示されるコネクタ装置のハウジング(10)に差し込まれる配線板状部材(P) には、被係止部(P2)が切欠き形成されており、配線板状部材(P) がハウジング(10)に差し込まれたときには、配線板状部材(P) における被係止部(P2)の前方となる差込み方向の先端部分が、係止手段(19)の後面が成す緩いテーパ面を乗り越えて、被係止部(P2)が係止手段(19)に係合する状態がとられる。
【０００７】
それとともに、配線板状部材(P) がハウジング(10)に差し込まれたときには、ハウジング(10)に対して回動可能に設けられたアクチュエータ（加圧部材(50)) がハウジング(10)の底壁(11)に向かう方向に回動せしめられてハウジング(10)に差し込まれた配線板状部材(P) をハウジング(10)の底壁(11)側へと押圧し、それにより、配線板状部材(P) がそれにおける被係止部(P2)を係止手段(19)に係合させた状態を維持するものとされる。その結果、ハウジング(10)に差し込まれた配線板状部材(P) にそれをハウジング(10)から抜き出そうとする外力が作用しても、被係止部(P2)が係止手段(19)の前面が成す急なテーパ面に当接して、係止手段(19)によって配線板状部材(P) が係止されることになり、被係止部(P2)によって配線板状部材(P) のハウジング(10)からの不所望な抜脱が阻止される。
【０００８】
さらに、ハウジング(10)に差し込まれた配線板状部材(P) を係止手段(19)による係止から解放するにあたっては、アクチュエータ(50)をハウジング(10)の底壁(11)から遠ざかる方向に回動させて、アクチュエータ(50)による配線板状部材(P) に対する押圧を解除したもとで、配線板状部材(P) にそれをハウジング(10)から抜き出す外力を作用させる。それにより、配線板状部材(P) における被係止部(P2)の前方となる差込み方向の先端部分が、係止手段(19)の前面が成す急なテーパ面を強引に乗り越え、被係止部(P2)が係止手段(19)との係合を解除するものとされて、配線板状部材(P) が係止手段(19)による係止から解放される。
【０００９】
また、特許文献２に示されるコネクタ装置（回路基板用電気コネクタ）にあっては、ハウジング(10)を部分的に覆う導電性シェル（金属シェル(40)) に、ハウジング(10)に差し込まれた配線板状部材（平型導体(F))に係合して当該配線板状部材(F) のハウジング(10)からの不所望な抜脱を阻止する係止手段（ロック部材(45)) が設けられている。この係止手段(45)は、ハウジング(10)の下壁(13)に形成された金属シェル保持溝(17)により保持されてハウジング(10)の下壁(13)上に配され、ハウジング(10)の下壁(13)から上方に突出して配線板状部材(F) に形成された係止凹部(F2)に係合するロック突部(52)と配線板状部材(F) をハウジング(10)の下壁(13)側へと押圧する押圧部(49)とを有している。そして、配線板状部材(F) がハウジング(10)に差し込まれたときには、係止手段(45)におけるロック突部(52)が、配線板状部材(F) に形成された係止凹部(F2)に挿入されて当該係止凹部(F2)との係合状態をとる。
【００１０】
それとともに、配線板状部材(F) がハウジング(10)に差し込まれたときには、ハウジング(10)に対して回動可能に設けられたアクチュエータ（可動部材(30)) がハウジング(10)の下壁(13)側に倒れるように回動せしめられ、それに伴ってアクチュエータ(30)に設けられたカム部(32C) により配線板状部材(F) に形成された押圧部(49)がハウジング(10)の下壁(13)に向かう方向に変位せしめられて、押圧部(49)がハウジング(10)に差し込まれた配線板状部材(F) をハウジング(10)の下壁(13)側へと押圧し、それにより、配線板状部材(F) がそれにおける係止凹部(F2)に係止手段(45)におけるロック突部(52)が挿入された状態を維持するものとされる。その結果、ロック突部(52)を配線板状部材(F) における係止凹部(F2)に挿入させた係止手段(45)によって配線板状部材(F) が係止されることになり、ハウジング(10)に差し込まれた配線板状部材(F) にそれをハウジング(10)から抜き出そうとする外力が作用しても、配線板状部材(F) のハウジング(10)からの不所望な抜脱が阻止される。
【００１１】
さらに、ハウジング(10)に差し込まれた配線板状部材(F) を係止手段(45)による係止からた解放するにあたっては、アクチュエータ(30)をハウジング(10)の下壁(13)側から起き上がらせるように回動させて、アクチュエータ(30)に設けられたカム部(32C) による配線板状部材(F) に形成された押圧部(49)のハウジング(10)の下壁(13)に向かう方向への変位を解除し、押圧部(49)による配線板状部材(F) に対する押圧を止めさせたもとで、配線板状部材(P) にそれにおける係止凹部(F2)を係止手段(45)におけるロック突部(52)から外す外力を作用させる。それにより、配線板状部材(F) が係止手段(45)による係止から解放される。
【先行技術文献】
【特許文献】
【００１２】
【特許文献１】特開２００９−２７７５６３号公報  （段落００１５〜００４４、図１〜６）
【特許文献２】特開２０１０−２３８５１２号公報  （段落００２５〜００５５，図１〜８）
【発明の概要】
【発明が解決しようとする課題】
【００１３】
上述のような、フレキシブル印刷配線基板等の配線板状部材の主配線基板との電気的連結に用いられるコネクタ装置であって、ハウジングに差し込まれた配線板状部材のハウジングからの不所望な抜脱を阻止する係止手段を備えたものとして従来提案されているコネクタ装置にあっては、係止手段がハウジングに差し込まれた配線板状部材に係合した状態が、ハウジングに対して回動可能とされたアクチュエータの回動操作に応じて、ハウジングに差し込まれた配線板状部材がそれが配されたハウジングの部分に向かう方向に押圧されることにより維持されて、即ち、係止手段とハウジングに対して回動可能とされたアクチュエータとの協働のもとで、係止手段によりハウジングに差し込まれた配線板状部材が係止されて、配線板状部材のハウジングからの不所望な抜脱が阻止される係止状態が得られる。
【００１４】
このような、係止手段によるハウジングに差し込まれた配線板状部材の係止に、係止手段とハウジングに対して回動可能とされたアクチュエータとの協働が要されるものとされた従来のコネクタ装置の場合には、係止手段とアクチュエータとを個別に形成された別部材として備えることが必要とされ、そのことが、コネクタ装置の全体の小型化に対する障害と構成部材数の増加とをまねき、製造コストを嵩ませる要因となる。それに加えて、ハウジングに差し込まれた配線板状部材を、係止手段により係止される係止状態あるいは係止手段による配線板状部材に対する係止が解除される係止解除状態におくにあたっては、アクチュエータをハウジングに対して回動させる操作が不可欠とされ、斯かる操作を行うための不所望なスペースをコネクタ装置の周囲に設けることが必要とされる。
【００１５】
さらには、ハウジングに差し込まれた配線板状部材を係止手段による係止から解放するにあたっては、ハウジングに差し込まれた配線板状部材に外力を作用させて、配線板状部材の係止手段との係合状態を解除させる操作が必要とされる。このようなハウジングに差し込まれた配線板状部材に外力を作用させる操作は、コネクタ装置の使用者に煩わしさを覚えさせ、さらには、配線板状部材に変形や破損等を生じさせる事態をまねく虞れを伴う。
【００１６】
斯かる点に鑑み、本願の特許請求の範囲に記載された発明は、フレキシブル印刷配線基板やフレキシブル平板状ケーブル等とされる配線板状部材の他の配線基板との電気的連結に用いられる、板状部材差込み部が設けられて他の配線基板に配されるハウジングと、ハウジングに配列配置されて設けられる複数のコンタクトと、ハウジングを部分的に覆う導電性シェルとを備えたコネクタ装置であって、全体の小型化を図ることができるとともに構成部材数を低減することができる構造をもって、ハウジングに差し込まれた配線板状部材を、ハウジングからの不所望な抜脱が確実に阻止される係止状態、及び、その係止状態から解放されてハウジングからの意図的な抜脱が可能とされる係止解除状態に選択的におくことができ、しかも、配線板状部材を係止状態もしくは係止解除状態におくにあたり、ハウジングに対して回動可能に設けられた部材を回動させる操作も、ハウジングに差し込まれた配線板状部材に不所望な外力を作用させる操作も不要とされるものを提供する。
【課題を解決するための手段】
【００１７】
本願の特許請求の範囲における請求項１から請求項６までのいずれかに記載された発明（以下、本発明という。）に係るコネクタ装置は、相互対向側端部のうちの一方側において開口する板状部材差込み部が設けられて配線基板に配されるハウジングと、各々がハウジングに配列配置され、配線板状部材が板状部材差込み部を通じてハウジングに差し込まれたとき、配線板状部材における複数の接続端子部に夫々接触接続される複数のコンタクトと、ハウジングを部分的に覆い、配線基板に固定される固定部，ハウジングに差し込まれた配線板状部材に対する係止状態をとる係止部，係止部の配線板状部材に対する係止状態を解除する係止解除部，係止解除部を係止部に係合させるべく操作される操作部、及び、操作部と固定部とを連結する連結部が一体的に形成された導電性シェルと、を備えて成り、導電性シェルに形成された連結部が、ハウジングの相互対向側端部のうちの他方側に配された弾性変位部を成すものとされ、操作部が係止解除部を伴ってハウジングの相互対向側端部のうちの一方側から他方側に向けて移動操作されるとき、弾性変位を生じて係止解除部を係止部に係合させることにより、係止部に配線板状部材に対する係止状態を解除させることを特徴とするものとされる。
【００１８】
上述のような本発明に係るコネクタ装置にあっては、複数の接続端子部が設けられた配線板状部材が板状部材差込み部を通じてハウジングに差し込まれると、それにより、ハウジングに配列配置された複数のコンタクトが、ハウジングに差し込まれた配線板状部材における複数の接続端子部に夫々接触接続されるとともに、導電性シェルに一体的に形成された係止部が、ハウジングに差し込まれた配線板状部材に係合して、当該配線板状部材に対する係止状態をとる。その結果、ハウジングに差し込まれた配線板状部材が、係止部により係止されてハウジングからの不所望な抜脱が阻止される状態におかれ、ハウジングに配列配置された複数のコンタクトが、当該配線板状部材における複数の接続端子部に夫々接触接続された状態が安定に維持される。
【００１９】
その後、係止部と共に導電性シェルに一体的に形成された操作部が、同じく導電性シェルに一体的に形成された係止解除部を伴って、ハウジングの相互対向側端部のうちの一方側から他方側に向けて移動操作されるとき、導電性シェルに一体的に形成されてハウジングの相互対向側端部のうちの他方側に配された弾性変位部を成すものとされた連結部が、弾性変位を生じて、係止解除部を係止部に係合させ、それにより、移動操作される操作部に従って係止部に係合したもとで移動する係止解除部が、係止部に配線板状部材に対する係止状態を解除させる。斯かる際、係止部は、移動する係止解除部によって配線板状部材から離隔する方向に変位せしめられる。
【００２０】
係止部が配線板状部材に対する係止状態を解除すると、ハウジングに差し込まれた配線板状部材がハウジングからの意図的な抜脱が可能とされる状態におかれ、配線板状部材は必要に応じてハウジングから抜脱される。配線板状部材がハウジングから抜脱されると、操作部に対する移動操作が止められる。それにより、連結部が、自らの弾性により、弾性変位した状態から元の状態に戻り、その際、操作部を係止解除部と共に元の位置に戻し、係止解除部が係止部に元の位置をとらせる。
【００２１】
このようなもとで、係止部は、例えば、導電性シェルに形成された固定部からハウジングの相互対向側端部のうちの一方側に向かって伸びて、ハウジングに差し込まれた配線板状部材に係合する係合部が設けられた弾性可動アーム状部と、それから伸びて係止解除部との係合状態におかれる係合端部と、を有するものとされる。そして、弾性可動アーム状部に設けられた係合部が、例えば、配線板状部材に設けられた突出係合部に嵌合する孔部を形成するものとされ、また、係合端部が、例えば、係止解除部に対する案内部を成し、操作部が係止解除部を伴ってハウジングの相互対向側端部のうちの一方側から他方側に向けて移動操作されるとき、係止解除部に、案内部に当接してそれによる案内を受けつつ移動し、弾性可動アーム状部を変位させて係合部の配線板状部材との係合を解除する状態をとらせる。さらに、操作部が、例えば、ハウジングの相互対向側端部のうちの一方側から他方側に向かって広がってハウジングを部分的に覆う板状部を成すものとされ、また、連結部が、例えば、その一端が操作部が成す板状部におけるハウジングの相互対向側端部うちの他方側の端部に連結されたものとされる。
【発明の効果】
【００２２】
本発明に係るコネクタ装置においては、上述のように、フレキシブル印刷配線基板やフレキシブル平板状ケーブル等とされる配線板状部材が、板状部材差込み部を通じてハウジングに差し込まれたとき、ハウジングに配列配置された複数のコンタクトが、ハウジングに差し込まれた配線板状部材における複数の接続端子部に夫々接触接続され、それとともに、導電性シェルに形成された係止部が、ハウジングに差し込まれた配線板状部材に係合して、当該配線板状部材に対する係止状態をとる。その結果、ハウジングに差し込まれた配線板状部材を、係止部により係止されてハウジングからの不所望な抜脱が阻止される状態におくことができ、ハウジングに配列配置された複数のコンタクトが、ハウジングに差し込まれた配線板状部材における複数の接続端子部に夫々電気的に接続された状態を安定に維持することができる。
【００２３】
また、ハウジングに差し込まれた配線板状部材が係止部により係止された状態におかれたもとで、係止部と共に導電性シェルに形成された操作部が、同じく導電性シェルに形成された係止解除部を伴って、ハウジングの相互対向側端部のうちの一方側から他方側に向けて移動操作されるとき、導電性シェルに形成されてハウジングの相互対向側端部のうちの他方側に配された弾性変位部を成すものとされた連結部が、弾性変位を生じて、係止解除部を係止部に係合させ、それにより、移動操作される操作部に従って係止部に係合したもとで移動する係止解除部が、係止部に配線板状部材に対する係止状態を解除させる。その結果、ハウジングに差し込まれた配線板状部材を、係止部による係止状態から解放して、ハウジングから意図的に抜脱することができる状態におくことができる。
【００２４】
従って、本発明に係るコネクタ装置によれば、配線基板に固定される固定部に加えて、係止部，係止解除部，操作部及び連結部が導電性シェルに一体的に形成された、全体の小型化を図ることができるとともに構成部材数を低減することができる構造をもって、ハウジングに差し込まれた配線板状部材を、ハウジングからの不所望な抜脱が確実に阻止される係止状態、及び、その係止状態から解放されてハウジングからの意図的な抜脱が可能とされる係止解除状態に選択的におくことができる。
【００２５】
しかも、本発明に係るコネクタ装置にあっては、配線板状部材を係止状態もしくは係止解除状態におくにあたり、ハウジングに対して回動可能に設けられた部材を回動させる操作も、ハウジングに差し込まれた配線板状部材に不所望な外力を作用させる操作も不要とされる。
【００２６】
そして、このような本発明に係るコネクタ装置の具体的構成は、係止部が、例えば、導電性シェルに形成された固定部からハウジングの相互対向側端部のうちの一方側に向かって伸びて配線板状部材に係合する係合部が設けられた弾性可動アーム状部とそれから伸びて係止解除部との係合状態におかれる係合端部とを有するものとされ、弾性可動アーム状部に設けられたた係合部が、例えば、配線板状部材に設けられた突出係合部に嵌合する孔部を形成するものとされ、また、係合端部が、例えば、係止解除部に対する案内部を成すものとされ、さらに、操作部が、例えば、ハウジングの相互対向側端部のうちの一方側から他方側に向かって広がってハウジングを部分的に覆う板状部を成すものとされるとともに、連結部が、例えば、その一端が操作部が成す板状部におけるハウジングの相互対向側端部うちの他方側の端部に連結されたものとされて、実現される。
【図面の簡単な説明】
【００２７】
【図１】本発明に係るコネクタ装置の一例をそれが装着された配線基板と共に示す斜視図である。
【図２】本発明に係るコネクタ装置の一例をそれが装着された配線基板と共に示す平面図である。
【図３】本発明に係るコネクタ装置の一例をそれが装着された配線基板と共に示す正面図である。
【図４】本発明に係るコネクタ装置の一例を分解して示す分解斜視図である。
【図５】図４における一点鎖線枠Ａ内を拡大して示す拡大部分斜視図である。
【図６】図３におけるVI−VI線断面を示す断面図である。
【図７】図３における VII−VII 線断面を示す断面図である。
【図８】本発明に係るコネクタ装置の一例に差し込まれるフレキシブル印刷配線基板を示す斜視図である。
【図９】配線基板に装着された本発明に係るコネクタ装置の一例とそれに差し込まれる直前の位置に配されたフレキシブル印刷配線基板とを示す平面図である。
【図１０】図９における一点鎖線枠Ｂ内を拡大して示す拡大部分平面図である。
【図１１】配線基板に装着された本発明に係るコネクタ装置の一例とそれに対する差込み過程におかれたフレキシブル印刷配線基板とを示す平面図である。
【図１２】図１１における一点鎖線枠Ｃ内を拡大して示す拡大部分平面図である。
【図１３】配線基板に装着された本発明に係るコネクタ装置の一例とそれに対する差込みが完了したフレキシブル印刷配線基板とを示す平面図である。
【図１４】配線基板に装着された本発明に係るコネクタ装置の一例とそれに対する差込みが完了したフレキシブル印刷配線基板とを示す斜視図である。
【図１５】図１３における一点鎖線枠Ｄ内を拡大して示す拡大部分平面図である。
【図１６】図１４における一点鎖線枠Ｅ内を拡大して示す拡大部分斜視図である。
【図１７】配線基板に装着されてフレキシブル印刷配線基板が差し込まれた本発明に係るコネクタ装置の一例における導電性シェルに形成された操作部がそれに対する移動操作過程におかれた状態を示す平面図である。
【図１８】図１７における一点鎖線枠Ｆ内を拡大して示す拡大部分平面図である。
【図１９】図１７における一点鎖線枠Ｇ内を拡大して示す拡大部分平面図である。
【図２０】配線基板に装着された本発明に係るコネクタ装置の一例における導電性シェルに形成された操作部に対する移動操作が完了し、フレキシブル印刷配線基板が本発明に係るコネクタ装置の一例から抜脱された状態を示す平面図である。
【発明を実施するための形態】
【００２８】
本発明を実施するための形態は、以下に述べられる本発明についての実施例をもって説明される。
【実施例】
【００２９】
図１（斜視図），図２（平面図）及び図３（正面図）は、本発明に係るコネクタ装置の一例をそれが装着された配線基板と共に示す。また、図４（分解斜視図）は、本発明に係るコネクタ装置の一例を分解して示す。
【００３０】
図１〜図４には、本発明に係るコネクタ装置の一例を成すコネクタ装置１０が示されている。以下においては、図３に示されるコネクタ装置１０の正面に向かって上側, 下側、左側及び右側を、夫々、上，下，左及び右、あるいは、上方、下方、左方、右方とする。
【００３１】
図１〜図４に示されるコネクタ装置１０は、合成樹脂等の絶縁材料によって形成されたハウジング１１を備えており、ハウジング１１は、第１の相互対向側端部を成す正面側端部１１ａ及び背面側端部１１ｂと、第２の相互対向側端部を成す左側端部１１ｃ及び右側端部１１ｄとを有している。そして、図１及び図３に示されるように、ハウジング１１には、その正面側端部１１ａにおいて左右に伸びて開口する板状部材差込み部１２が、正面側端部１１ａからハウジング１１の内部を背面側端部１１ｂに向かって広がるものとされて設けられている。
【００３２】
ハウジング１１は、配線基板１３に、下方部分となる底面部を対接させて配され、それにより、コネクタ装置１０の全体が当該配線基板１３に装着されたものとされる。そして、板状部材差込み部１２を通じて、例えば、後述されるフレキシブル印刷配線基板が、配線板状部材を成すものとして、ハウジング１１に差し込まれる。
【００３３】
ハウジング１１には、各々が弾性導電材料で形成された複数の第１のコンタクト１４及び複数の第２のコンタクト１５が、ハウジング１１の長手方向（左右方向）に沿って交互に配列配置されて設けられている。複数の第１のコンタクト１４の夫々は、図３におけるVI−VI線断面を示す図６に示されるように、ハウジング１１内に配される接触部１４ａと、ハウジング１１の底面部からその外部に臨むものとされる接続部１４ｂとを備えている。同様に、複数の第２のコンタクト１５の夫々は、図３における VII−VII 線断面を示す図７に示されるように、ハウジング１１内に配される接触部１５ａと、ハウジング１１の底面部からその外部に臨むものとされる接続部１５ｂとを備えている。
【００３４】
複数の第１のコンタクト１４の夫々における接触部１４ａ及び複数の第２のコンタクト１５の夫々における接触部１５ａは、ハウジング１１に板状部材差込み部１２を通じて差し込まれた配線板状部材を成すフレキシブル印刷配線基板における接続端子部に、ハウジング１１における底面部に対向する上方部分となる上面部側から当接して接触接続される。また、複数の第１のコンタクト１４の夫々における接続部１４ｂ及び複数の第２のコンタクト１５の夫々における接続部１５ｂは、ハウジング１１が配された配線基板１３に設けられた信号端子部（図示が省略されている。）に、例えば、半田付けによって接続される。それにより、ハウジング１１に差し込まれたフレキシブル印刷配線基板における複数の接続端子部が、複数の第１のコンタクト１４及び複数の第２のコンタクト１５を介して、ハウジング１１が配された配線基板１３に設けられた信号端子部に連結される。
【００３５】
また、コネクタ装置１０は、ハウジング１１の正面側端部１１ａにおける板状部材差込み部１２が開口する部分及びその周囲部分、さらには、底面部等を除いた残りの部分を覆う導電性シェル１６を備えている。即ち、導電性シェル１６は、ハウジング１１を部分的に覆っているのである。この導電性シェル１６は、弾性を有した金属板が加工成形されて構成されており、複数の第１のコンタクト１４及び複数の第２のコンタクト１５についての特性インピーダンス調整に貢献するため、さらには、コネクタ装置１０についての外部からの電磁波ノイズ対策のため、即ち、コネクタ装置１０における外部からの電磁波ノイズに対するシールド効果を得るためのものとして、備えられている。
【００３６】
導電性シェル１６は、ハウジング１１の正面側端部１１ａから背面側端部１１ｂに向かって広がってハウジング１１の上面部の大部分を覆う板状部１７を有しており、板状部１７は、ハウジング１１の背面側端部１１ｂ側に位置する端部１７ａを有している。そして、導電性シェル１６には、板状部１７の端部１７ａから左方に伸びる連結部１８Ａと板状部１７の端部１７ａから右方に伸びる連結部１８Ｂとが形成されている。
【００３７】
板状部１７の端部１７ａから左方に伸びる連結部１８Ａは、ハウジング１１の側端部に沿って、ハウジング１１の背面側端部１１ｂ側から正面側端部１１ａ側に向けて屈曲されており、ハウジング１１の左側端部１１ｃに対向する端部に、例えば、半田付けによって配線基板１３に固定される固定部１９Ａが設けられている。同様に、板状部１７の端部１７ａから右方に伸びる連結部１８Ｂは、ハウジング１１の側端部に沿って、ハウジング１１の背面側端部１１ｂ側から正面側端部１１ａ側に向けて屈曲されており、ハウジング１１の右側端部１１ｄに対向する端部に、例えば、半田付けによって配線基板１３に固定される固定部１９Ｂが設けられている。従って、連結部１８Ａは、その一端が板状部１７の端部１７ａに連結されるとともにその他端が固定部１９Ａに連結されていることになり、また、連結部１８Ｂは、その一端が板状部１７の端部１７ａに連結されるとともにその他端が固定部１９Ｂに連結されていることになる。このような連結部１８Ａ及び１８Ｂの夫々は、ハウジング１１の背面側端部１１ｂ側に配された弾性変位部を成すものとされている。
【００３８】
このようなもとで、導電性シェル１６における板状部１７は、ハウジング１１の正面側端部１１ａから背面側端部１１ｂに向かって移動せしめられる移動操作が加えられる操作部として機能するものとされている（以下、導電性シェル１６における板状部１７を導電性シェル１６に形成された操作部１７という。）。即ち、操作部１７は、ハウジング１１の正面側端部１１ａから背面側端部１１ｂに向かって広がってハウジング１１を部分的に覆う板状部を成しているのである。従って、導電性シェル１６に形成されてハウジング１１の背面側端部１１ｂ側に配された連結部１８Ａ及び１８Ｂは、一端が操作部１７の端部１７ａに連結されるとともにその他端が固定部１９Ａに連結された連結部１８Ａが、導電性シェル１６に形成された操作部１７と固定部１９Ａとを連結しているとともに、一端が操作部１７の端部１７ａに連結されるとともにその他端が固定部１９Ｂに連結された連結部１８Ｂが、導電性シェル１６に形成された操作部１７と固定部１９Ｂとを連結していることになる。そして、操作部１７がハウジング１１の正面側端部１１ａから背面側端部１１ｂに向けて移動操作されるときには、ハウジング１１の背面側端部１１ｂ側に配されて各々が弾性変位部を成す連結部１８Ａ及び１８Ｂの夫々が、弾性変位を生じて、操作部１７の移動を吸収する。
【００３９】
また、導電性シェル１６には、ハウジング１１に板状部材差込み部１２を通じて差し込まれたフレキシブル印刷配線基板に対する係止状態をとる係止部２０Ａと係止部２０Ｂとが形成されている。係止部２０Ａは、導電性シェル１６における固定部１９Ａからハウジング１１の正面側端部１１ａ側に向かって伸びる弾性可動アーム状部２１Ａと、弾性可動アーム状部２１Ａから伸びる係合端部２２Ａとを有している。また、係止部２０Ｂは、導電性シェル１６における固定部１９Ｂからハウジング１１の正面側端部１１ａ側に向かって伸びる弾性可動アーム状部２１Ｂと、弾性可動アーム状部２１Ｂから伸びる係合端部２２Ｂとを有している。
【００４０】
図４における一点鎖線枠Ａ内を拡大して示す図５にも示されるように、係止部２０Ｂにおける弾性可動アーム状部２１Ｂには、フレキシブル印刷配線基板に係合する係合部２３Ｂが、フレキシブル印刷配線基板に設けられた突出係合部に嵌合する孔部を形成するものとして設けられている。なお、係合部２３Ｂは、孔部に代えて、切欠き部を形成するものとされてもよい。また、係止部２０Ｂにおける係合端部２２Ｂには、傾斜面部２４Ｂが設けられている。同様に、係止部２０Ａにおける弾性可動アーム状部２１Ａにも、フレキシブル印刷配線基板に係合する係合部２３Ａ（後述される図１３に示されている。）が、フレキシブル印刷配線基板に設けられた突出係合部に嵌合する孔部を形成するものとして設けられている。なお、係合部２３Ａも、孔部に代えて、切欠き部を形成するものとされてもよい。また、係止部２０Ａにおける係合端部２２Ａには、傾斜面部２４Ａが設けられている。
【００４１】
さらに、導電性シェル１６には、係止部２０Ａのフレキシブル印刷配線基板に対する係止状態を解除する状態をとる係止解除部２５Ａと、係止部２０Ｂのフレキシブル印刷配線基板に対する係止状態を解除する状態をとる係止解除部２５Ｂと、が形成されている。係止解除部２５Ａは、導電性シェル１６の操作部１７におけるハウジング１１の左側端部１１ｃ側の端縁部に設けられており、また、係止解除部２５Ｂは、導電性シェル１６の操作部１７におけるハウジング１１の右側端部１１ｄ側の端縁部に設けられている。そして、操作部１７が、係止解除部２５Ａと係止解除部２５Ｂとを伴って、ハウジング１１の正面側端部１１ａから背面側端部１１ｂに向けて移動操作されるとき、導電性シェル１６に形成された連結部１８Ａ及び１８Ｂの夫々が弾性変位を生じて、係止解除部２５Ａを係止部２０Ａに係合させるとともに係止解除部２５Ｂを係止部２０Ｂに係合させる。それにより、移動操作される操作部１７に従って係止部２０Ａに係合したもとで移動する係止解除部２５Ａが、係止部２０Ａにフレキシブル印刷配線基板に対する係止状態を解除させ、また、移動操作される操作部１７に従って係止部２０Ｂに係合したもとで移動する係止解除部２５Ｂが、係止部２０Ｂにフレキシブル印刷配線基板に対する係止状態を解除させる。
【００４２】
斯かる際には、係止部２０Ａにおける傾斜面部２４Ａが設けられた係合端部２２Ａが、係止解除部２５Ａに対する案内部を成し、係止解除部２５Ａに、係合端部２２Ａの傾斜面部２４Ａに当接してそれによる案内を受けつつ移動し、弾性可動アーム状部２１Ａをフレキシブル印刷配線基板から離隔するように変位させて係合部２３Ａのフレキシブル印刷配線基板に設けられた突出係合部との嵌合を解除する状態をとらせ、また、係止部２０Ｂにおける傾斜面部２４Ｂが設けられた係合端部２２Ｂが、係止解除部２５Ｂに対する案内部を成し、係止解除部２５Ｂに、係合端部２２Ｂの傾斜面部２４Ｂに当接してそれによる案内を受けつつ移動し、弾性可動アーム状部２１Ｂをフレキシブル印刷配線基板から離隔するように変位させて係合部２３Ｂのフレキシブル印刷配線基板に設けられた突出係合部との嵌合を解除する状態をとらせる。それにより、係止部２０Ａ及び係止部２０Ｂの夫々がフレキシブル印刷配線基板との係合を解除する状態におかれる。
【００４３】
上述のようにして、導電性シェル１６には、固定部１９Ａ及び１９Ｂ，係止部２０Ａ及び２０Ｂ，係止解除部２５Ａ及び２５Ｂ，操作部１７、及び、連結部１８Ａ及び１８Ｂが一体的に形成されている。
【００４４】
また、コネクタ装置１０は、ハウジング１１における板状部材差込み部１２の下方側に配されてハウジング１１を部分的に覆うグラウンドプレート３０を備えている。グラウンドプレート３０は、ハウジング１１の長手方向に沿って伸び、図６及び図７に示されるように、ハウジング１１の底面部に固定される取付部３１と、各々が取付部３１から突出し、図６に示されるように、ハウジング１１の底面部に形成された切欠き部を通じてハウジング１１内に入り込んで第１のコンタクト１４における接触部１４ａに対向する、複数のグラウンドコンタクト３２と、各々が取付部３１から突出する複数のグラウンド接続部３３とを有している。複数のグラウンド接続部３３の夫々は、ハウジング１１が配された配線基板１３に設けられた接地端子部（図示が省略されている。）に、例えば、半田付けによって接続される。
【００４５】
さらに、グラウンドプレート３０には、取付部３１の長手方向（複数の第１及び第２のコンタクト１４及び１５の配列方向）における両端部から夫々屈曲して伸びるものとされたカバー部分３４Ａ及び３４Ｂが設けられている。グラウンドプレート３０がハウジング１１に取り付けられたもとにおいては、カバー部分３４Ａが、導電性シェル１６に形成された係止部２０Ａの一部及び係止解除部２５Ａを覆うものとされ、また、カバー部分３４Ｂが、導電性シェル１６に形成された係止部２０Ｂの一部及び係止解除部２５Ｂを覆うものとされる。なお、カバー部分３４Ａが係止部２０Ａの全部を覆うものとされ、また、カバー部分３４Ｂが係止部２０Ｂの全部を覆うものとされてもよい。
【００４６】
図８は、コネクタ装置１０におけるハウジング１１に板状部材差込み部１２を通じて差し込まれる、配線板状部材を成すフレキシブル印刷配線基板の一例であるフレキシブル印刷配線基板４０を示す。
【００４７】
図８に示されるフレキシブル印刷配線基板４０における一対の相互対向面の一方には、その一端部に複数の第１の接続端子部４１と複数の第２の接続端子部４２とが交互に配列配置されて設けられており、また、図示が省略されているが、一対の相互対向面の他方には、平板状の接地接続部が設けられている。さらに、フレキシブル印刷配線基板４０には、交互に配列配置された複数の第１の接続端子部４１と複数の第２の接続端子部４２とを挟んで相互対向する一対の側縁部に切欠き部４３及び４４が夫々設けられており、フレキシブル印刷配線基板４０における切欠き部４３より先端側となる部分が突出係合部４５を形成しており、また、フレキシブル印刷配線基板４０における切欠き部４４より先端側となる部分が突出係合部４６を形成している。そして、フレキシブル印刷配線基板４０においては、複数の第１の接続端子部４１及び複数の第２の接続端子部４２と接地接続部とが設けられた部分と一対の切欠き部４３及び４４が形成された部分と突出係合部４５及び４６とを残して、それら以外の部分が極めて薄いカバーフィルム４７によって覆われている。
【００４８】
図９は、図８に示されるフレキシブル印刷配線基板４０が、複数の第１の接続端子部４１及び複数の第２の接続端子部４２が設けられた板面が上方に向けられて、配線基板１３に装着されたコネクタ装置１０におけるハウジング１１に板状部材差込み部１２を通じて差し込まれる直前の状態を示す。但し、図９に示されるコネクタ装置１０にあっては、説明の都合上、グラウンドプレート３０が除去されている。
【００４９】
図９に示される状態のもとでは、コネクタ装置１０における導電性シェル１６に形成された操作部１７に対するハウジング１１の正面側端部１１ａから背面側端部１１ｂに向けての移動操作は加えられていず、図９における一点鎖線枠Ｂ内を拡大して示す図１０に示されるように、導電性シェル１６に形成された係止解除部２５Ｂは、同じく導電性シェル１６に形成された係止部２０Ｂに係合していない。同様に、導電性シェル１６に形成された係止解除部２５Ａも、同じく導電性シェル１６に形成された係止部２０Ａに係合していない。そして、フレキシブル印刷配線基板４０における複数の第１の接続端子部４１及び複数の第２の接続端子部４２と接地接続部とが設けられるとともに突出係合部４５及び４６が形成された部分の先端部分が、コネクタ装置１０におけるハウジング１１の正面側端部１１ａに設けられた板状部材差込み部１２に対向せしめられている。
【００５０】
図１１は、図８に示されるフレキシブル印刷配線基板４０が、配線基板１３に装着されたコネクタ装置１０におけるハウジング１１に対する板状部材差込み部１２を通じての差し込み過程におかれた状態を示す。図１１に示されるコネクタ装置１０にあっても、説明の都合上、グラウンドプレート３０が除去されている。
【００５１】
図１１に示される状態のもとにおいても、コネクタ装置１０における導電性シェル１６に形成された操作部１７に対するハウジング１１の正面側端部１１ａから背面側端部１１ｂに向けての移動操作は加えられていない。そして、図１１における一点鎖線枠Ｃ内を拡大して示す図１２にも示されるように、ハウジング１１に差し込まれたフレキシブル印刷配線基板４０における突出係合部４６の端部が、導電性シェル１６に形成された係止部２０Ｂにおける弾性可動アーム状部２１Ｂに当接し、フレキシブル印刷配線基板４０のハウジング１１への差込み移動に伴って、弾性可動アーム状部２１Ｂをハウジング１１の右側端部１１ｄから離隔する方向へと弾性変位させる。同様に、ハウジング１１に差し込まれたフレキシブル印刷配線基板４０における突出係合部４５の端部が、導電性シェル１６に形成された係止部２０Ａにおける弾性可動アーム状部２１Ａに当接し、フレキシブル印刷配線基板４０のハウジング１１への差込み移動に伴って、弾性可動アーム状部２１Ａをハウジング１１の左側端部１１ｃから離隔する方向へと弾性変位させる。
【００５２】
その後、フレキシブル印刷配線基板４０のハウジング１１に対する更なる差込み移動が行われて、図１３（平面図）及び図１４（斜視図）に示されるような、フレキシブル印刷配線基板４０のハウジング１１に対する差込みが完了した状態がとられる。なお、図１４においては、コネクタ装置１０が装置された配線基板１３は図示が省略されている。
【００５３】
フレキシブル印刷配線基板４０のハウジング１１に対する差込みが完了した状態のもとにあっては、図１３における一点鎖線枠Ｄ内を拡大して示す図１５及び図１４における一点鎖線枠Ｅ内を拡大して示す図１６にも示されるように、導電性シェル１６に形成された係止部２０Ｂにおける弾性可動アーム状部２１Ｂに設けられた係合部２３Ｂが、ハウジング１１に差し込まれたフレキシブル印刷配線基板４０における突出係合部４６に嵌合し、弾性可動アーム状部２１Ｂが自らが具える弾性によってハウジング１１の右側端部１１ｄに当接もしくは近接する位置に戻る。同様に、導電性シェル１６に形成された係止部２０Ａにおける弾性可動アーム状部２１Ａに設けられた係合部２３Ａが、ハウジング１１に差し込まれたフレキシブル印刷配線基板４０における突出係合部４５に嵌合し、弾性可動アーム状部２１Ａが自らが具える弾性によってハウジング１１の左側端部１１ｃに当接もしくは近接する位置に戻る。
【００５４】
このようにして、係止部２０Ａにおける弾性可動アーム状部２１Ａに設けられた係合部２３Ａがフレキシブル印刷配線基板４０における突出係合部４５に嵌合するとともに、係止部２０Ｂにおける弾性可動アーム状部２１Ｂに設けられた係合部２３Ｂがフレキシブル印刷配線基板４０における突出係合部４６に嵌合したもとにあっては、係止部２０Ａ及び２０Ｂの夫々が、ハウジング１１に差し込まれたフレキシブル印刷配線基板４０に対する係止状態をとることになり、それにより、ハウジング１１に差し込まれたフレキシブル印刷配線基板４０がハウジング１１からの不所望な抜脱が阻止される状態におかれる。
【００５５】
また、このとき、ハウジング１１内において、ハウジング１１に配列配置された複数の第１のコンタクト１４の夫々における接触部１４ａが、第１及び第２の接続端子部４１及び４２が設けられた板面が上方に向けられてハウジング１１に差し込まれたフレキシブル印刷配線基板４０における複数の第１の接続端子部４１のうちの対応するものに当接して接触接続され、また、ハウジング１１に配列配置された複数の第２のコンタクト１５の夫々における接触部１５ａが、第１及び第２の接続端子部４１及び４２が設けられた板面が上方に向けられてハウジング１１に差し込まれたフレキシブル印刷配線基板４０における複数の第２の接続端子部４２のうちの対応するものに当接して接触接続される。それにより、ハウジング１１に差し込まれたフレキシブル印刷配線基板４０における複数の第１の接続端子部４１及び複数の第２の接続端子部４２が、複数の第１のコンタクト１４及び複数の第２のコンタクト１５を介して、ハウジング１１が配された配線基板１３に設けられた信号端子部に電気的に連結される。
【００５６】
さらに、このとき、ハウジング１１における板状部材差込み部１２の下方側に配されたグラウンドプレート３０に設けられた複数のグラウンドコンタクト３２が、ハウジング１１に差し込まれたフレキシブル印刷配線基板４０における接地接続部に当接して接触接続される。それにより、ハウジング１１に差し込まれたフレキシブル印刷配線基板４０における接地接続部が、グラウンドプレート３０を介して、ハウジング１１が配された配線基板１３に設けられた接地端子部に電気的に連結される。
【００５７】
上述のようにして、複数の第１のコンタクト１４の夫々における接触部１４ａがフレキシブル印刷配線基板４０における複数の第１の接続端子部４１のうちの対応するものに当接して接触接続され、複数の第２のコンタクト１５の夫々における接触部１５ａがフレキシブル印刷配線基板４０における複数の第２の接続端子部４２のうちの対応するものに当接して接触接続され、さらに、グラウンドプレート３０に設けられた複数のグラウンドコンタクト３２がフレキシブル印刷配線基板４０における接地接続部に当接して接触接続された状態は、導電性シェル１６に形成された係止部２０Ａ及び２０Ｂの夫々がハウジング１１に差し込まれたフレキシブル印刷配線基板４０に対する係止状態をとることにより、安定に維持される。
【００５８】
その後、図１７に示されるように、導電性シェル１６に形成された操作部１７が、同じく導電性シェル１６に形成された係止解除部２５Ａ及び２５Ｂを伴って、ハウジング１１の正面側端部１１ａから背面側端部１１ｂに向かう方向（図１７において矢印Ｘにより示される方向）に移動せしめられるべく移動操作されると、図１７における一点鎖線枠Ｆ内を拡大して示す図１８にも示されるように、導電性シェル１６に形成されてハウジング１１の背面側端部１１ｂ側に配された弾性変位部を成すものとされた連結部１８Ｂが弾性変位を生じ、また、それとともに、導電性シェル１６に形成されてハウジング１１の背面側端部１１ｂ側に配された弾性変位部を成すものとされた連結部１８Ａも弾性変位を生じる。そして、連結部１８Ａ及び１８Ｂが、操作部１７のハウジング１１の正面側端部１１ａから背面側端部１１ｂに向かう方向の移動を吸収し、図１７における一点鎖線枠Ｇ内を拡大して示す図１９にも示されるように、係止解除部２５Ｂを導電性シェル１６に形成された係止部２０Ｂに係合させ、また、それとともに、係止解除部２５Ａを導電性シェル１６に形成された係止部２０Ａに係合させる。
【００５９】
係止部２０Ｂに係合した係止解除部２５Ｂは、操作部１７のハウジング１１の正面側端部１１ａから背面側端部１１ｂに向かう方向の移動に伴って、係止部２０Ｂにおける弾性可動アーム状部２１Ｂから伸びる係合端部２２Ｂ（係止解除部２５Ｂに対する案内部）に設けられた傾斜面部２４Ｂに当接して、傾斜面部２４Ｂによる案内を受けつつ移動し、弾性可動アーム状部２１Ｂをフレキシブル印刷配線基板４０から離隔するように変位させて、弾性可動アーム状部２１Ｂに設けられた係合部２３Ｂに、フレキシブル印刷配線基板４０に設けられた突出係合部４６との嵌合を解除する状態をとらせる。また、係止部２０Ａに係合した係止解除部２５Ａは、操作部１７のハウジング１１の正面側端部１１ａから背面側端部１１ｂに向かう方向の移動に伴って、係止部２０Ａにおける弾性可動アーム状部２１Ａから伸びる係合端部２２Ａ（係止解除部２５Ａに対する案内部）に設けられた傾斜面部２４Ａに当接して、傾斜面部２４Ａによる案内を受けつつ移動し、弾性可動アーム状部２１Ａをフレキシブル印刷配線基板４０から離隔するように変位させて、弾性可動アーム状部２１Ａに設けられた係合部２３Ａに、フレキシブル印刷配線基板４０に設けられた突出係合部４５との嵌合を解除する状態をとらせる。
【００６０】
このようにして、係止部２０Ａにおける弾性可動アーム状部２１Ａに設けられた係合部２３Ａがフレキシブル印刷配線基板４０における突出係合部４５との嵌合を解除するとともに、係止部２０Ｂにおける弾性可動アーム状部２１Ｂに設けられた係合部２３Ｂがフレキシブル印刷配線基板４０における突出係合部４６との嵌合を解除したもとにあっては、係止部２０Ａ及び２０Ｂの夫々が、ハウジング１１に差し込まれたフレキシブル印刷配線基板４０に対する係止状態を解除することになり、それにより、ハウジング１１に差し込まれたフレキシブル印刷配線基板４０が、係止部２０Ａ及び２０Ｂによる係止状態から解放されて、ハウジング１１からの意図的な抜脱が可能とされる状態におかれる。
【００６１】
その後、図２０に示されるように、操作部１７が、それに対する移動操作により、係止解除部２５Ａ及び２５Ｂを伴ってハウジング１１の正面側端部１１ａから背面側端部１１ｂに向かう方向に移動せしめられたもとで、ハウジング１１に差し込まれていたフレキシブル印刷配線基板４０が、ハウジング１１から板状部材差込み部１２を通じて意図的に抜脱せしめられる。そして、フレキシブル印刷配線基板４０がハウジング１１から抜脱されると、操作部１７に対する移動操作が止められる。それにより、連結部１８Ａ及び１８Ｂの夫々が、自らが具える弾性により、弾性変位した状態から元の状態に戻り、その際、操作部１７を係止解除部２５Ａ及び２５Ｂと共に元の位置に戻し、係止解除部２５Ａ及び２５Ｂが係止部２０Ａ及び２０Ｂに自らが具える弾性により元の位置に戻る状態をとらせる。
【００６２】
上述のような本発明に係るコネクタ装置の一例を成すコネクタ装置１０にあっては、配線板状部材を成すフレキシブル印刷配線基板４０が、板状部材差込み部１２を通じてハウジング１１に差し込まれたとき、ハウジング１１に配列配置された複数の第１のコンタクト１４及び複数の第２のコンタクト１５が、ハウジング１１に差し込まれたフレキシブル印刷配線基板４０における複数の第１の接続端子部４１及び複数の第２の接続端子部４２に夫々接触接続され、それとともに、導電性シェル１６に形成された係止部２０Ａ及び２０Ｂが、ハウジング１１に差し込まれたフレキシブル印刷配線基板４０に係合して、フレキシブル印刷配線基板４０に対する係止状態をとる。その結果、ハウジング１１に差し込まれたフレキシブル印刷配線基板４０を、係止部２０Ａ及び２０Ｂにより係止されてハウジング１１からの不所望な抜脱が阻止される状態におくことができ、ハウジング１１に配列配置された複数の第１のコンタクト１４及び複数の第２のコンタクト１５が、ハウジング１１に差し込まれたフレキシブル印刷配線基板４０における複数の第１の接続端子部４１及び複数の第２の接続端子部４２に夫々電気的に接続された状態を安定に維持することができる。
【００６３】
また、ハウジング１１に差し込まれたフレキシブル印刷配線基板４０が係止部２０Ａ及び２０Ｂにより係止された状態におかれたもとで、係止部２０Ａ及び２０Ｂと共に導電性シェル１６に形成された操作部１７が、同じく導電性シェル１６に形成された係止解除部２５Ａ及び２５Ｂを伴って、ハウジング１１の正面側端部１１ａから背面側端部１１ｂに向けて移動操作されるとき、導電性シェル１６に形成されてハウジング１１の背面側端部１１ｂ側に配された弾性変位部を成すものとされた連結部１８Ａ及び１８Ｂが、弾性変位を生じて、係止解除部２５Ａ及び２５Ｂを係止部２０Ａ及び２０Ｂに係合させ、それにより、移動操作される操作部１７に従って係止部２０Ａ及び２０Ｂに係合したもとで移動する係止解除部２５Ａ及び２５Ｂが、係止部２０Ａ及び２０Ｂにフレキシブル印刷配線基板４０に対する係止状態を解除させる。その結果、ハウジング１１に差し込まれたフレキシブル印刷配線基板４０を、係止部２０Ａ及び２０Ｂによる係止状態から解放して、ハウジング１１から意図的に抜脱することができる状態におくことができる。
【００６４】
従って、コネクタ装置１０によれば、配線基板１３に固定される固定部１９Ａ及び１９Ｂに加えて、係止部２０Ａ及び２０Ｂ，係止解除部２５Ａ及び２５Ｂ，操作部１７及び連結部１８Ａ及び１８Ｂが導電性シェル１６に一体的に形成された、全体の小型化を図ることができるとともに構成部材数を低減することができる構造をもって、ハウジング１１に差し込まれたフレキシブル印刷配線基板４０を、ハウジング１１からの不所望な抜脱が確実に阻止される係止状態、及び、その係止状態から解放されてハウジング１１からの意図的な抜脱が可能とされる係止解除状態に選択的におくことができる。
【００６５】
しかも、コネクタ装置１０にあっては、フレキシブル印刷配線基板４０を係止状態もしくは係止解除状態におくにあたり、ハウジング１１に対して回動可能に設けられた部材を回動させる操作も、ハウジング１１に差し込まれたフレキシブル印刷配線基板４０に不所望な外力を作用させる操作も不要とされる。
【産業上の利用可能性】
【００６６】
上述のような本発明に係るコネクタ装置は、例えば、フレキシブル印刷配線基板等とされる配線板状部材の他の配線基板との電気的連結に用いられる、板状部材差込み部が設けられたハウジングと、ハウジング内に配列配置されて設けられる複数のコンタクトと、ハウジングを部分的に覆う導電性シェルとを備えたコネクタ装置であって、全体の小型化を図ることができるとともに構成部材数を低減することができる構造をもって、ハウジングに差し込まれた配線板状部材を、ハウジングからの不所望な抜脱が確実に阻止される係止状態、及び、その係止状態から解放されてハウジングからの意図的な抜脱が可能とされる状態に選択的におくことができ、しかも、配線板状部材を係止状態もしくは係止解除状態におくにあたり、ハウジングに対して回動可能に設けられた部材を回動させる操作も、ハウジングに差し込まれた配線板状部材に不所望な外力を作用させる操作も不要とされるものとして、様々な電子機器等に広く適用され得るものである。
【符号の説明】
【００６７】
１０・・・コネクタ装置，  １１・・・ハウジング，  １１ａ・・・（ハウジング１１の）正面側端部，  １１ｂ・・・（ハウジング１１の）背面側端部，  １１ｃ・・・（ハウジング１１の）左側端部，  １１ｄ・・・（ハウジング１１の）右側端部，  １２・・・板状部材差込み部，  １３・・・配線基板，  １４・・・第１のコンタクト，  １５・・・第２のコンタクト，  １６・・・導電性シェル，  １７・・・板状部（操作部），  １８Ａ，１８Ｂ・・・連結部，  １９Ａ，１９Ｂ・・・固定部，  ２０Ａ，２０Ｂ・・・係止部，  ２１Ａ，２１Ｂ・・・弾性可動アーム状部，  ２２Ａ，２２Ｂ・・・係合端部，  ２３Ａ，２３Ｂ・・・係合部，  ２４Ａ，２４Ｂ・・・傾斜面部，  ２５Ａ，２５Ｂ・・・係止解除部，  ３０・・・グラウンドプレート，  ３１・・・取付部，  ３２・・・グラウンドコンタクト，  ３３・・・グラウンド接続部，  ３４Ａ，３４Ｂ・・・カバー部分，  ４０・・・フレキシブル印刷配線基板，  ４１・・・第１の接続端子部，  ４２・・・第２の接続端子部，  ４３，４４・・・切欠き部，  ４５，４６・・・突出係合部，  ４７・・・カバーフィルム
【図１】
2015222638.tif 000003
【図２】
2015222638.tif 000004
【図３】
2015222638.tif 000005
【図４】
2015222638.tif 000006
【図５】
2015222638.tif 000007
【図６】
2015222638.tif 000008
【図７】
2015222638.tif 000009
【図８】
2015222638.tif 000010
【図９】
2015222638.tif 000011
【図１０】
2015222638.tif 000012
【図１１】
2015222638.tif 000013
【図１２】
2015222638.tif 000014
【図１３】
2015222638.tif 000015
【図１４】
2015222638.tif 000016
【図１５】
2015222638.tif 000017
【図１６】
2015222638.tif 000018
【図１７】
2015222638.tif 000019
【図１８】
2015222638.tif 000020
【図１９】
2015222638.tif 000021
【図２０】
2015222638.tif 000022